(57)【要約】      （修正有）【課題】金型用冷却装置における構造の簡略化、小型軽量化および配設スペースの狭小化を図る。又より小径の冷却穴にも適用し得る金型用冷却装置を提供する。【解決手段】外パイプ１の一端部を接続孔３ｃの螺合部３ｃ１に螺合させ、内パイプ２の鍔部２ｂを嵌合部３ｃ３の側壁と外パイプ１の一端とで軸方向両側から挟持する。給水口３ａに給水された冷却水は、給水口３ａ→連通路３ｄ→内パイプ２の一端開口→内パイプ２の内部通路２ａ→内パイプ２の他端開口という経路で中子ピンの内部空間に給水され、そして、中子ピンの内部空間→内パイプ２の外周と外パイプ１の内周との間の間隙通路５→外パイプ１の貫通孔１ｃ→液室部３ｃ２→排水口３ｂという経路で排水される。【選択図】        図１
2004351861.tif 000002
【特許請求の範囲】
【請求項１】
外パイプの内周に内パイプを同芯上に配置して、前記内パイプの内部通路を冷却水の往路とし、前記両パイプの相互間の間隙通路を冷却水の復路とすると共に、前記両パイプの一端部が取付けられる接続ヘッドに、前記往路に通じる給水口と、前記復路に通じる排水口とを設けてなる金型用冷却装置において、
前記接続ヘッドは、前記両パイプの一端部が接続される接続孔と、該接続孔と給水口とを連通させる連通路とを有し、
前記接続孔は、前記外パイプの一端部が螺合接続される螺合部と、前記排出口と連通する液室部と、前記内パイプの一端外周に設けられた鍔部が抜き差し可能に嵌合される嵌合部とを有し、
前記外パイプの一端部は、前記液室部に配される部分に貫通孔を有し、
前記内パイプの一端部を前記接続孔に挿入し、前記鍔部を前記嵌合部に嵌合すると共に、前記外パイプの一端部を前記螺合部に螺合させて、前記鍔部を、前記嵌合部の側壁と前記外パイプの一端とで挟持し、
前記給水口から給水した冷却水を前記連通路を介して前記内パイプの一端開口から前記往路内に流入させ、前記復路からの冷却水を前記外パイプの貫通孔及び前記液室部を介して前記排水口に流出させることを特徴とする金型用冷却装置。
【発明の詳細な説明】
【０００１】
【発明の属する技術分野】
本発明は、ダイカストや射出成型等に使用される金型の冷却装置に関し、特に外パイプの内周に内パイプを同芯上に配置して冷却水の往路と復路とを形成するように構成した金型用冷却装置に関するものである。
【０００２】
【従来の技術】
ダイカスト鋳造や射出成形等に用いられる金型の冷却穴に装着して、該金型を冷却するために、金型用冷却装置が使用されている。この冷却装置としては、外パイプの内周に内パイプを同芯上に配置して、内パイプの内部通路を、内パイプの外周と外パイプの内周との間の間隙通路に先端側で連通させることにより、冷却水の往路および復路を形成し、内パイプおよび外パイプの基端側に、往路および復路に通じるホース接続用の接続ヘッドを装着する構成が公知となっている。
【０００３】
この種の金型用冷却装置は、従来においては、外パイプおよび内パイプがホース接続用の接続ヘッドに分離不能に固着一体化されていたことに起因して、往路や復路に水垢等が付着して冷却水の流れが阻害されたり、何れか一方のパイプが破損した場合等であっても全体を取り換えねばならず、経済的不利益を招く等の問題を有していた。
【０００４】
このような問題に対処すべく、例えば下記の特許文献１には、往路に連通する入水口と復路に連通する出水口とを備えたホース接続口金（接続ヘッド）に、入水口に連通する入水室と出水口に連通する出水室とを外パイプの軸芯線上に並列状に形成すると共に、入水室内に保持管を抜き挿し可能に設置し、外パイプの一端を出水室に螺合接続させ、内パイプの一端を出水室を貫通させて保持管に連通接続させる構成が開示されている。
【０００５】
【特許文献１】
実公平６−１４９２６号公報
【０００６】
また、特許文献１によれば、内パイプの一端に係止鍔を一体的に取付け、入水室と出水室との間の仕切壁に設置したパッキンと保持管の端面とで係止鍔を挟持することにより、内パイプを保持管に連通接続する構成も開示されている。
【０００７】
このような構成によれば、外パイプ、内パイプ、および保持管を、ホース接続口金から個々に分解させることができ、上述の問題解決につながることが期待できる。
【０００８】
【発明が解決しようとする課題】
しかしながら、特許文献１に記載された冷却装置は、ホース接続口金に入水室と出水室との計二個の容積室が外パイプの軸芯方向に沿って並列状に形成されているため、ホース接続口金が軸芯方向に長尺になり、冷却装置の大型化や重量増を招くと共に、ホース接続口金の配設スペースが拡大化されるという問題を有している。
【０００９】
詳述すると、この冷却装置は、入水室に保持管が収容されているため、冷却水の流通性を良くするには、保持管の内部通路の流路面積を内パイプの内部通路よりも大きくした上で、保持管の軸芯方向長さに応じた流路長さを確保せねばならず、これに起因して、入水室の容積を所定の大きさにする必要がある。しかも、入水室と出水室との間は、冷却水の流通を遮断する必要があるため、この両室間には所定厚さの仕切壁を形成する必要がある。これらが原因となって、ホース接続口金の軸芯方向長さは必然的に長くなる。
【００１０】
また、このように内パイプを取外し可能にするための手段として、入水室に保持管を収容していたのでは、入水口から内パイプの内部通路に至るまでの通路構成が複雑になり、往路の入口側部分で冷却水の流通性が阻害されるおそれが生じる。
【００１１】
本発明の目的は、この種の金型用冷却装置における構造の簡略化、小型軽量化および配設スペースの狭小化を図ると共に、より小径の冷却穴にも適用し得る金型用冷却装置を提供することである。
【００１２】
【課題を解決するための手段】
上記目的を達成するため、本発明は、外パイプの内周に内パイプを同芯上に配置して、前記内パイプの内部通路を冷却水の往路とし、前記両パイプの相互間の間隙通路を冷却水の復路とすると共に、前記両パイプの一端部が取付けられる接続ヘッドに、前記往路に通じる給水口と、前記復路に通じる排水口とを設けてなる金型用冷却装置において、前記接続ヘッドは、前記両パイプの一端部が接続される接続孔と、該接続孔と給水口とを連通させる連通路とを有し、前記接続孔は、前記外パイプの一端部が螺合接続される螺合部と、前記排出口と連通する液室部と、前記内パイプの一端外周に設けられた鍔部が抜き差し可能に嵌合される嵌合部とを有し、前記外パイプの一端部は、前記液室部に配される部分に貫通孔を有し、前記内パイプの一端部を前記接続孔に挿入し、前記鍔部を前記嵌合部に嵌合すると共に、前記外パイプの一端部を前記螺合部に螺合させて、前記鍔部を、前記嵌合部の側壁と前記外パイプの一端とで挟持し、前記給水口から給水した冷却水を前記連通路を介して前記内パイプの一端開口から前記往路内に流入させ、前記復路からの冷却水を前記外パイプの貫通孔及び前記液室部を介して前記排水口に流出させることを特徴とする金型用冷却装置を提供する。
【００１３】
【発明の実施の形態】
以下、本発明の実施形態について説明する。
【００１４】
図１は、本発明の実施形態に係る金型用冷却装置を示している。外パイプ１の内周に内パイプ２が同芯状に配置され、外パイプ１及び内パイプ２の一端部が接続ヘッド３に接続されている。外パイプ１及び内パイプ２の他端部は図示されていない金型の中子ピンの内部に挿入され、外パイプ１の他端部外周に装着されたＯリング４によってシールされる。外パイプ１及び内パイプ２の他端開口は中子ピンの内部空間内に位置し、内パイプ２の内部通路２ａが冷却水の往路、内パイプ２の外周と外パイプ１の内周との間の間隙通路５が冷却水の復路になる。外パイプ１及び内パイプ２は従来のものよりも小径であり、例えば、外パイプ１は外径４ｍｍ、内径２ｍｍ、内パイプ２は外径１ｍｍ、内径０．７ｍｍである。
【００１５】
接続ヘッド３は、給水口３ａと、排水口３ｂと、外パイプ１及び内パイプ２の一端部が接続される接続孔３ｃと、接続孔３ｃと給水口３ａとを連通させる連通路３ｄとを備えている。連通路３ｄの直径は、内パイプ２の内径と同程度である。
【００１６】
給水口３ａは、給水配管を接続するための螺合部３ａ１を有し、また、連通路３ｄを介して接続孔３ｃの中心部と軸方向に連通する。排水口３ｂは、排水配管を接続するための螺合部３ｂ１を有し、また、接続孔３ｃの液室部３ｃ２と半径方向に連通する。
【００１７】
接続孔３ｃは、外パイプ１の一端部が螺合接続される螺合部３ｃ１と、排出口３ｂと連通する液室部３ｃ２と、内パイプ２の一端外周に設けられた鍔部２ｂが抜き差し可能に嵌合される嵌合部３ｃ３とを備えている。
螺合部３ｃ１は接続孔３ｃの他端側に位置し、嵌合部３ｃ３は接続孔３ｃの一端側に位置し、液室部３ｃ２は螺合部３ｃ１と嵌合部３ｃ３との間に位置する。
【００１８】
外パイプ１の一端部は、接続孔３ｃの螺合部３ｃ１に接続される螺合部１ａを有すると共に、螺合部１ａより一端側に、他の部分よりもやや小径となった小径部１ｂを有している。小径部１ｂは接続孔３ｃの液室部３ｃ２に配置され、小径部１ｂの外周側は環状の空間部になっている。また、小径部１ｂには１又は複数の貫通孔（半径方向孔）１ｃが形成されている。この実施形態では、４つの貫通孔１ｃを９０度間隔で形成している。
【００１９】
組み立てに際しては、内パイプ２の一端部を接続孔３ｃに挿入し、その一端外周の鍔部２ｂを接続孔３ｃの嵌合部３ｃ３に嵌合する。そして、外パイプ１の一端部を接続孔３ｃに挿入し、その螺合部１ａを接続孔３ｃの螺合部３ｃ１に螺合させ、内パイプ２の鍔部２ｂを嵌合部３ｃ３の側壁と外パイプ１の一端とで軸方向両側から挟持する。これにより、外パイプ１及び内パイプ２が接続ヘッド３に着脱自在に装着される。
【００２０】
上記構成において、給水口３ａに給水された冷却水は、給水口３ａ→連通路３ｄ→内パイプ２の一端開口→内パイプ２の内部通路２ａ→内パイプ２の他端開口という経路で中子ピンの内部空間に給水され、そして、中子ピンの内部空間→内パイプ２の外周と外パイプ１の内周との間の間隙通路５→外パイプ１の貫通孔１ｃ→液室部３ｃ２→排水口３ｂという経路で排水される。
【００２１】
【発明の効果】
本発明によれば、この種の金型用冷却装置における構造の簡略化、小型軽量化および配設スペースの狭小化を図ることができ、また、より小径の冷却穴にも適用し得る金型用冷却装置を提供することができる。
【図面の簡単な説明】
【図１】本発明の実施形態に係る金型用冷却装置の断面図である。
【符号の説明】
１    外パイプ
１ｃ  貫通孔
２    内パイプ
２ａ  内部通路
２ｂ  鍔部
３    接続ヘッド
３ａ  給水口
３ｂ  排水口
３ｃ  接続孔
３ｃ１  螺合部
３ｃ２  液室部
３ｃ３  嵌合部
３ｄ  連通路
【図１】
2004351861.tif 000003